(57)【要約】      （修正有）【課題】集合型充電装置において、多様なサイズ、形状の充電コネクターに対して適応可能、挿抜容易、かつ厨房や機械工場など油性ミストなどの塵芥の多い場所で使用しても周囲環境による油性ミストなどの塵芥から充電コネクターの接点部を保護することを目的とした、携帯端末に未接続な充電コネクターの保持構造を提供する。【解決手段】弾性樹脂材で形成し、充電コネクターの先端部差し込み厚より狭い開口幅を有する棒状で溝型の開口部を備える保持具１０を配置し、該保持具の開口溝に充電コネクター７の先端部を差し込むことにより、携帯端末１〜４に未接続状態の複数の充電コネクターを配列保持するとともに、溝の狭小さにより充電コネクターの接点部を周囲環境による油性ミストなどの塵芥から保護する。【選択図】図１
0003207376.tif 000002
【実用新案登録請求の範囲】
【請求項１】
タブレット、スマートホンなど、収納した複数の携帯端末のそれぞれに対して充電コネクターを接続して充電を行う集合型充電装置において、弾性樹脂材で形成し、充電コネクターの先端部差し込み厚より狭い開口幅を有する棒状で溝型の開口部を備える保持具を配置し、該保持具の開口溝に充電コネクターの先端部を差し込むことにより、携帯端末に未接続状態の複数の充電コネクターを配列保持するとともに、溝の狭小さにより充電コネクターの接点部を周囲環境による油性ミストなどの塵芥から保護することを目的とする携帯端末における未接続充電コネクターの保持構造。
【考案の詳細な説明】
【技術分野】
【０００１】集合型充電装置において、弾性樹脂材で形成し、充電コネクターの先端部差し込み厚より狭い開口幅を有する棒状で溝型の開口部を備える保持具を配置し、該保持具の開口溝に充電コネクターの先端部を差し込むことにより、携帯端末に未接続状態の複数の充電コネクターを配列保持するとともに、溝の狭小さにより充電コネクターの接点部を周囲環境による油性ミストなどの塵芥から保護することを目的とする携帯端末における未接続充電コネクターの保持構造。
【背景技術】
【０００２】タブレット、スマートホンなどの携帯端末は所要の充電コネクターを接続して充電を行うのが一般的であるが、厨房や機械工場など油性ミストなどの塵芥の多い場所で使用される場合に、充電コネクターが携帯端末に未接続の状態では油性ミストなどの塵芥によりコネクターの接触部に悪影響が及ぶため、充電コネクターごとに適合する保護カバーを装着して接点を保護する方法がとられるが、複数の携帯端末を収納して充電を行う集合型充電装置においては、それぞれの充電コネクターにカバーを着脱することは煩わしいと共に、コネクターのサイズ、形状は携帯端末それぞれに異なるため適切なカバーを付与することも難しいため、集合型充電装置を厨房や機械工場など油性ミストなどの塵芥の多い場所で使用することには課題があった。
【考案が解決しようとする課題】
【０００３】集合型充電装置において、多様なサイズ、形状の充電コネクターに対して適応可能、挿抜容易、かつ厨房や機械工場など油性ミストなどの塵芥の多い場所で使用しても周囲環境による油性ミストなどの塵芥から充電コネクターの接点部を保護することを目的とした、携帯端末に未接続な充電コネクターの保持構造を提供する。
【課題を解決するための手段】
【０００４】弾性樹脂材で形成し、充電コネクターの先端部差し込み厚より狭い開口溝を有する棒状の保持具を配置し、該保持具の開口溝に充電コネクターの先端部を差し込むことにより、携帯端末に未接続状態の複数の充電コネクターを配列保持するとともに、溝の狭小さにより充電コネクターの接点部を周囲環境による油性ミストなどの塵芥から保護する。
【考案の効果】
【０００５】弾性樹脂材で形成し、充電コネクターの先端部差し込み厚より狭い開口溝を有する棒状の保持具を配置し、該保持具の開口溝に携帯端末に未接続の充電コネクターの先端部を差し込むことにより、充電コネクターは溝構造の保持具の開口部で保持され、溝の狭小さにより充電コネクターの接点部を周囲環境による油性ミストなどの塵芥から保護されるとともに、弾性樹脂材の伸縮、弾力により厚みの異なる多様な充電コネクターに対しても挿抜が容易であり挿入位置で確実に並列保持される。
【考案を実施するための形態】
【０００６】図２に一般的な集合型充電装置の概念図を示す。携帯端末１，２，３，４にそれぞれ充電ケーブル６、充電コネクター５が接続されて充電が行なわれている状態を示し、充電を行わない充電ケーブル８、充電コネクター７は未接続状態にある。携帯端末に接続された充電コネクター５の接点部は携帯端末の接点部と接触しているため厨房や機械工場など油性ミストなど塵芥の多い場所においても油性ミストなどが接点部に入り込むことは殆ど無いが、未接続状態の充電コネクター７は開放状態のため周囲環境による油性ミストなどの塵芥が接点部に入り込んで接触不良などの原因になる可能性が高い。
【０００７】図１は本考案実施の概念図を示す。未接続状態の充電コネクター７の先端部は所定幅の差し込み部を備え、樹脂材で形成する溝構造の保持具１０の溝に差し込まれた状態を示している。図３は保持具１０の構成概念図を示す。保持具１０は棒状でＬ２の隙間を備えた側壁１４と溝底１５で構成され両端１１，１２も開口されている。溝の開口幅Ｌ２は充電コネクター７の先端部９の差し込み厚Ｌ１より狭くすることにより、溝の開口部に差し込まれた充電コネクターの先端部９は保持具１０の弾性の側壁１４により圧接されて差し込まれた位置に保持されるとともに、溝部は狭小に構成されるためコネクターの先端部に形成されている接点部に周囲環境による油性ミストなどの塵芥が入り込む可能性は極めて低くなる。
【実施例】
【０００８】タブレット、スマートホンなどに採用されている充電コネクターは一般的に小型のＵＳＢコネクターまたは同類品であり、先端部は、幅×厚×奥行は略７×２×６ｍｍ程度であり図３におけるＬ１は略２ｍｍであるためＬ２≒１．６ｍｍとした。保持具は硬度４０度のプロピレンゴム、溝幅は１．６ｍｍ、溝の奥行は６ｍｍとし、側壁の厚さを３ｍｍで形成した。保持具の棒状の長さは同時に充電する携帯端末の数を１１端末として端末の配列間隔を２８ｍｍとして２８０ｍｍに設定した。棒状の溝構造から成る保持具は、溝の側壁１２，１４を開放形成すれば軟質樹脂材の押出成型により容易に生産することができるため低コストである。未接続の充電コネクターをフリーな状態で置くことは、充電コネクターに接続されるケーブルが絡み合うなどの問題も有り保持具に差し込む構造はケーブル整理の面でも大きな効果が得られる。樹脂材としてはシリコンゴムなど多様な素材の適用が可能で有るなど、本実施例で示す素材、形状、ディメンジョンなどは本考案の趣旨を逸脱しない範囲であれば種々変形実施が可能である。
【図面の簡単な説明】
【０００９】
【図１】本考案による保持具を適用した集合型充電装置の構成概念図を示す
【図２】一般的な集合型充電装置の構成概念図を示す
【図３】充電コネクターの先端部を差し込んで保持、防塵する保持具の概念図を示す
【符号の説明】  １，２，３，４  携帯端末
５  携帯端末に接続されている充電コネクター
６  接続ケーブル
７  携帯端末に未接続の充電コネクター
８  接続ケーブル
９  充電コネクターの先端部
１０  溝構造の保持具
１１，１２  保持具端面の開口
１３  充電コネクターの先端部を差し込む開口
１４  溝の側壁
１５  溝の溝底
Ｌ１  充電コネクターの先端部の厚さ
Ｌ２  保持具における溝幅
【図１】
0003207376.tif 000003
【図２】
0003207376.tif 000004
【図３】
0003207376.tif 000005